(57)【要約】【課題】  リンクアグリゲーションとして論理的に統合された各物理回線に故障が発生した場合でも、ユーザ間で使用可能帯域の不公平を発生させないこと。【解決手段】  リンクアグリゲーション回線に統合されている正常な物理回線数毎に、各ユーザの帯域制御情報を予め設定し、当該リンクアグリゲーション回線に統合されている物理回線の故障／回復を検出すると、現状の正常な物理回線数を認識し、予め設定された正常な物理回線数毎の各ユーザの帯域制御情報を参照して前記認識した正常な物理回線数に対応する帯域制御を各ユーザトラフィックに対して実行する。【選択図】図１
2007067586.tif 000002
【特許請求の範囲】
【請求項１】
物理回線を統合したリンクアグリゲーション回線の最大帯域の変動に連動して、前記リンクアグリゲーション回線を使用する各ユーザトラフィックの帯域制御設定を動的に制御することを特徴とする帯域制御方法。
【請求項２】
前記リンクアグリゲーション回線に統合されている正常な物理回線数毎に、各ユーザの帯域制御情報を予め設定し、当該リンクアグリゲーション回線に統合されている物理回線の故障／回復を検出すると、現状の正常な物理回線数を認識し、前記予め設定された正常な物理回線数毎の各ユーザの帯域制御情報を参照して前記認識した正常な物理回線数に対応する帯域制御を各ユーザトラフィックに対して実行することを特徴とする請求項１記載の帯域制御方法。
【請求項３】
物理回線を統合したリンクアグリゲーション回線の最大帯域の変動に連動して、前記リンクアグリゲーション回線を使用する各ユーザトラフィックの帯域制御設定を動的に制御する手段を有することを特徴とする伝送装置。
【請求項４】
リンクアグリゲーション回線に統合されている正常な物理回線数毎に各ユーザの帯域制御情報を予め設定する手段と、
該設定をユーザ/正常な物理回線数毎に保持する手段と、
装置内の回線故障要因を検出する手段と、
該リンクアグリゲーション回線単位に回線切替処理を行う手段と、
該リンクアグリゲーション回線切替に連動し各ユーザトラフィックの帯域制御設定を行う手段と、
を備え、
該リンクアグリゲーション回線に統合されている各物理回線の故障発生/回復に連動した動的な帯域制御設定を行うことを特徴とする伝送装置。
【請求項５】
リンクアグリゲーション回線を使用するユーザトラフィックの帯域制御情報を保持する帯域制御情報設定保持部と、前記帯域制御情報設定保持部に保持された帯域制御情報を読み出し、帯域制御設定を指示する帯域制御部と、回線故障要因発生による割込通知を受け、前記リンクアグリゲーション回線の切替要因が発生したことを通知する回線故障検出部と、前記回線故障検出部の通知する前記リンクアグリゲーション回線切替要因発生通知に基づいてリンクアグリゲーション回線切替を指示するリンクアグリゲーション回線切替制御部と、前記帯域制御部からの帯域制御設定指示に基づき帯域制御設定を行うとともに、前記リンクアグリゲーション回線切替制御部からのリンクアグリゲーション回線切替指示に基づきリンクアグリゲーション回線切替を制御するハードウェア制御部を備えた伝送装置において、
前記帯域制御部は、外部から入力されるコマンドに基づいて、前記帯域制御情報設定保持部に前記リンクアグリゲーション回線に統合されている正常な物理回線数毎に各ユーザの帯域制御情報を設定し、
前記リンクアグリゲーション回線切替制御部は、前記回線故障検出部の通知する前記リンクアグリゲーション回線切替要因発生通知に基づいて前記帯域制御部に前記リンクアグリゲーション回線切替発生を通知し、当該リンクアグリゲーション回線切替発生通知に基づき、前記帯域制御部は前記リンクアグリゲーション回線切替制御部から切替対象であるリンクアグリゲーション回線の正常な物理回線数を読み出し、当該読み出した物理回線数に対応する各ユーザの帯域制御情報を前記帯域制御情報設定保持部から読み出してユーザトラフィック毎の帯域制御設定を指示することを特徴とする伝送装置。
【発明の詳細な説明】
【技術分野】
【０００１】
本発明は、リンクアグリゲーション（LinkAggregation）を採用した通信システムに関し、特にその物理回線に障害が発生して使用可能な物理回線数が変動したときの伝送装置におけるユーザトラフィックの動的な帯域制御に関する。
【背景技術】
【０００２】
複数の物理回線を１つの論理的な回線として利用する技術であるリンクアグリゲーションが、IEEE802.3adとして標準化されている。例えば、リンクアグリゲーションにより、１Gbpsの帯域幅の物理回線を８本束ねて、８Gbpsの論理的な回線として使用することができる。このように、リンクアグリゲーションには、高速な物理回線を使用しなくても帯域幅を広げることができるという利点がある。また、物理回線のどれかに障害が発生したとしても、他の物理回線が使用できれば、回線全体としては停止することなく動作可能である。そのため、リンクアグリゲーションを採用することにより、障害に対して強い通信システムを構築することができる。以下、リンクアグリゲーションにより統合された論理的な回線を、リンクアグリゲーション回線あるいは単にＬＡという。
【０００３】
図８により、リンクアグリゲーションを採用した通信システムの伝送装置において、物理回線に障害が発生したときの状況を説明する。
今、図８に概念的に示すように、１．０Gbpsのポートに接続された物理回線を４ポート分統合化した４．０Gbpsのリンクアグリゲーション回線をユーザＡとユーザＢが使用しており、そして、ユーザＡとユーザＢの出力データはシェーピングされているとする。ユーザＡの入力レートが２．０Gbps、出力は、シェーピングレートが２．０Gbpsで実際の出力レートも２．０Gbpsであり、ユーザＢについても、入力レートが２．０Gbps、出力は、シェーピングレートが２．０Gbpsで実際の出力レートも２．０Gbpsとする。
【０００４】
この時、図示のように４ポートのうち２ポートに故障が発生すると、リンクアグリゲーション回線切替により、統合された物理回線数が４本から２本に替わるため、リンクアグリゲーション回線の最大帯域は２．０Gbpsとなる。このように、リンクアグリゲーション回線の最大帯域は、統合されている各物理回線の故障状態により動的に変動する。
【０００５】
しかし通常シェーピングなどの帯域制御の設定値は統合された各物理回線に故障が無い前提で設定されているため、物理回線に故障が発生し最大帯域がシェーピングレートを下回った場合等にはあらかじめ設定された帯域制御が意味を成さないものとなってしまう。
【０００６】
そのため、図８に示した極端な例では、切替後のリンクアグリゲーション回線の帯域が全てユーザＡのトラフィックに占有され、、ユーザＢの信号は流れていない。
この点に関して、図９及び図１０により、従来の伝送装置における物理回線に障害が発生した場合のリンクアグリゲーション回線切替を説明する。
【０００７】
図９は、伝送装置の物理回線を収容しているハードウェア部(100)とハードウェア部(100)を制御するファームウェア部(90)を模式的に示すものである。ファームウェア部(90)は、外部コマンド受付部(91)、外部コマンド処理部(92)、帯域制御部(93)、帯域制御情報設定保持部(94)、ハードウェア制御部(95)、回線故障検出部(96)、ＬＡ切替制御部(97)、及びイベント通知部(98)から構成される。
【０００８】
なお、以下で、「帯域制御設定」と「帯域制御情報設定」という用語が用いられるが、「帯域制御設定」は、図８に例示されたユーザＡのシェーピングレート「２．０Gbps」のように具体的な設定値をハードウェア部(100)に個々に設定することを意味し、「帯域制御情報設定」は「帯域制御設定」で用いられる設定値を帯域制御情報設定保持部(94)に設定することを意味する。この点は、後記本発明の説明においても同様である。
【０００９】
例えばユーザ毎の帯域制御情報設定のコマンド等外部コマンドが投入されると、外部コマンド受付部(91)で受け付けられ、外部コマンド処理部(92)で解釈されて帯域制御部(93)に与えられ、ユーザ毎の帯域制御情報が帯域制御情報設定保持部(94)に設定され、保持される。帯域制御部(93)は、帯域制御情報設定保持部(94)に保持されたユーザ毎の帯域制御情報を読み出し、ハードウェア制御部(95)に対して帯域制御の設定を指示する。ハードウェア制御部(95)は、指示された帯域制御設定をハードウェア部(100)に設定し、ユーザ毎の帯域制御を実行させる。
【００１０】
図１０は、物理回線に障害が発生した場合の従来のリンクアグリゲーション回線切替フローを示すものである。
収容されている物理回線に障害が発生すると、ハードウェア部(100)から回線故障要因発生による割込みが通知され、回線故障検出部(96)で受け付けられる。すると図１０に記載されたステップＳ１０１における回線故障要因発生の判定がＹＥＳとなり、回線故障検出部(96)では物理回線単位で故障を検出して、ＬＡ切替要因が発生したかを判定する（ステップＳ１０２）。
【００１１】
ステップ１０２における判定がＹＥＳであると、回線故障検出部(96)はＬＡ切替制御部(97)に切替要因発生通知を行う（ステップＳ１０３）。
ＬＡ切替制御部(97)は、ハードウェア制御部(95)へ回線切替指示を実施し（ステップＳ１０４）、ハードウェア制御部(95)はハードウェア部(100)の回線切替制御を実施する（ステップＳ１０５）。
【００１２】
ＬＡ切替制御部(97)は、また、イベント通知部(98)を経由して保守者に対してＬＡ切替イベントを通知する（ステップＳ１０６）。
以上説明したように、従来では、回線切替制御と帯域制御の連携が行われていなかった。そのため、図８に示した例のように、ユーザＡのトラフィックに帯域が全て占有され、ユーザＢの信号は流れないという状態が起こり得る。このように、同一優先度のユーザ間でも特定ユーザのトラフィックに帯域が占有され、他ユーザのトラフィックが通らなくなるなど各ユーザ間の使用可能帯域に不公平が発生する場合があった。
【００１３】
下記特許文献１には、リンクアグリゲーションと同様に、複数の回線を使用してバルク通信を行うバルク伝送装置が記載されている。特許文献１には、バルク通信中に複数の回線のうちの１つに障害が発生した時に、正常回線のみでバルク通信を実行する技術が開示されてはいるが、各ユーザ間の使用可能帯域に発生しうる不公平な状態をさけることについては記載されていない。
【特許文献１】特開２００１−１３６２３４号公報
【発明の開示】
【発明が解決しようとする課題】
【００１４】
そこで、本発明の解決しようとする課題は、リンクアグリゲーションとして論理的に統合された各物理回線に故障が発生した場合でも、ユーザ間で使用可能帯域の不公平が生じてしまう。
【課題を解決するための手段】
【００１５】
そのために、本発明は、物理回線を統合したリンクアグリゲーション回線の最大帯域の変動に連動して、リンクアグリゲーション回線を使用する各ユーザトラフィックの帯域制御設定を動的に制御する。
【００１６】
また本発明は、リンクアグリゲーション回線に統合されている正常な物理回線数毎に、各ユーザの帯域制御情報を予め設定し、当該リンクアグリゲーション回線に統合されている物理回線の故障／回復を検出すると、現状の正常な物理回線数を認識し、予め設定された正常な物理回線数毎の各ユーザの帯域制御情報を参照して前記認識した正常な物理回線数に対応する帯域制御を各ユーザトラフィックに対して実行する。
【発明の効果】
【００１７】
本発明によれば、リンクアグリゲーションとして論理的に統合された各物理回線に故障が発生した場合でも、各ユーザトラフィック毎の帯域制御設定を動的に制御することで、ユーザ間で使用可能帯域の不公平を発生させないようにすることができる。
【発明を実施するための最良の形態】
【００１８】
図１は、本発明を適用した場合の、リンクアグリゲーションを採用した通信システムの伝送装置において、物理回線に障害が発生したときの状況を概念的に説明する図である。例示するものの正常時における状況は、図８において示したものと同じであり、物理回線に故障が発生した場合のみ異なる。
【００１９】
図８に示した場合と同様に、４ポートのうち２ポートに故障が発生すると、リンクアグリゲーション回線の切替が行われ、リンクアグリゲーション回線の最大帯域は２．０Gbpsとなる。この時、本発明によれば、例えば図示のように、ユーザＡのシェーピングレート及びユーザＢのシェーピングレートをともに１．０Gbpsと動的に変更する。すると、実際の出力レートもそれぞれ１．０Gbpsとすることができる。
【００２０】
図１に示した例では、シェーピングによる帯域制御を採用しているが、本発明の要旨は、リングアグリゲーション回線の最大帯域が動的に変動するのに伴い、各ユーザの帯域制御を動的に行うところにあり、シェーピングに限らず、最大帯域を越えて送信されてきたデータを単純に廃棄するような帯域制御（ポリシング）においても適用可能なものである。
【００２１】
図２は、本発明を適用する代表的な伝送装置(L2SW装置)の構成例を示すものである。伝送装置(20)は、ＬＡＮケーブルや光ファイバを接続し実際にパケット伝送を行うインタフェース盤とファームウェアが搭載されておりインタフェース盤に対する制御、監視を行う制御盤により構成される。図２に示された例では、スロット１とスロット２には、インターフェース盤として８ポートを搭載したギガビットイーサネット（登録商標）カードが挿入されており、スロット３とスロット４には、３２ポートを搭載したファーストイーサネット（登録商標）カードが挿入されている。制御盤スロットには、管理用のＣＰＵを搭載したボードが挿入されている。この管理用のＣＰＵが、上述のインタフェース盤に対する制御、監視を行い、またリンクアグリゲーションを実現するファームウェアを実行する。
【００２２】
図３は、図２に示した伝送装置を用いた代表的なネットワーク構成例を示す。図３に例示されたネットワークは、伝送装置Ａ(21)、伝送装置Ｂ(22)、伝送装置Ａ(21)に収容されたユーザAA(251)、ユーザAB(261)、ユーザAC(271)、伝送装置Ｂ(22)に収容されたユーザBA(252)、ユーザBB(262)、ユーザBC(272)、そしてネットワーク監視装置(29)から構成される。
【００２３】
伝送装置Ａ(21)と伝送装置Ｂ(22)はリンクアグリゲーション回線(28)で接続されている。リンクアグリゲーション回線(28)の伝送装置Ａ(21)側の接続ポイントであるリンクアグリゲーションＡ(281)はインターフェース盤(211)とインターフェース盤(221)のそれぞれに搭載された１つずつのポートから構成され、同じく伝送装置Ｂ(22)側の接続ポイントであるリンクアグリゲーションＢ(282)は、インターフェース盤(212)とインターフェース盤(222)のそれぞれに搭載された１つずつのポートから構成されている。このようにリンクアグリケーション回線に統合される物理回線を異なるインターフェース盤に収容されたものとするのは、インターフェース盤の障害により、そのインターフェース盤に収容された物理回線が全て使用不能となっても、他のインターフェース盤に収容された物理回線により通信を可能とするためである。
【００２４】
伝送装置Ａ(21)は、ユーザAA(251)、ユーザAB(261)、ユーザAC(271)からの信号をインターフェース盤(231)に搭載されたポートAA/AB/ACを用いて収容している。ポートAA/AB/AC からの信号をリンクアグリゲーションＡ(281)にルーティングすることで対向装置である伝送装置Ｂ(22)に信号伝送を行っている。
【００２５】
同様に、伝送装置Ｂ(22)は、ユーザBA(252)、ユーザBB(262)、ユーザBC(272)をインターフェース盤(232)に搭載されたポートBA/BB/BCを用いて収容している。そして、伝送装置Ｂ(22)は、伝送装置Ａ(21)から伝送された信号をリンクアグリゲーションＢ(282)で受信し、リンクアグリゲーションＢ(282)で受信した信号をポートBA/BB/BCにルーティングすることで、対向装置である伝送装置Ａ(21)のユーザからの信号伝送を行っている。
【００２６】
上記信号伝送は双方向に可能であり、信号の流れとしてはユーザAA(251), ユーザAB(261),ユーザAC(271)⇔ポートAA/AB/AC⇔リンクアグリゲーションＡ(281) ⇔リンクアグリゲーション回線(28)⇔リンクアグリゲーションＢ(282)⇔ポートBA/BB/BC⇔ユーザBA(252),ユーザBB(262),ユーザBC(272)となる。
【００２７】
管理用ＣＰＵ(241),(242)は、それぞれの伝送装置のインタフェース盤に対する制御、監視を行うとともに、ネットワーク監視装置(29)へ例えばＳＮＭＰによるイベント通知を行う。
【００２８】
ネットワーク監視装置(29)はネットワーク内に収容されている各伝送装置の警報状態、イベント通知を集中管理する装置である。
次に本発明による動的な帯域制御の再設定を説明する。
【００２９】
図４Ａは、リンクアグリゲーション回線切替に連動して帯域制御を動的に設定するファームウェアのフローを説明するものである。
まず、事前設定として、ステップＳ３１１において、リンクアグリゲーション回線に統合されている正常な物理回線数毎に各ユーザの帯域制御情報を予め設定し、その情報を内部情報として保持する。
【００３０】
そして、リンクアグリゲーション回線に統合されている物理回線の故障/回復を検出したタイミング（ステップＳ３１２）で、現状の正常な物理回線数を認識し（ステップＳ３１３）、ステップＳ３１１で予め設定されている正常物理回線数に対応したユーザ毎の帯域制御情報を参照して動的に適切な帯域制御設定をハードウェアに対して再設定する（ステップＳ３１４）。
【００３１】
図４Ｂは、図４ＡのステップＳ３１１で予め設定される正常な物理回線数、すなわちリンクアグリゲーション回線の最大帯域毎の各ユーザの帯域制御情報を例示したものである。図４Ａにおいては、ユーザＡとユーザＢとは全く同じ帯域制御情報が設定されているが、これはあくまでも例示であり、全ての物理回線が正常である場合は各ユーザが同じ容量の帯域を使用するとしても、使用可能な物理回線が減少した場合には、ユーザ毎に使用可能な帯域に差を付けるような設定も勿論可能である。
【００３２】
図５Ａは、リンクアグリゲーション切替に連動し固定割合での回線使用比率で動的な帯域制御設定を行うファームウェアのフローを説明するものである。
まず、ステップＳ３２１で、予めリンクアグリケーション回線の最大帯域に対する各ユーザ毎の回線使用比率を設定する。以降のステップは、図４Ａに記載されたフローと同様であり、リンクアグリケーション回線に統合されている物理回線の故障/回復を検出したタイミング（ステップＳ３２２）で、現状の正常物理回線数を認識し（ステップＳ３２３）、ステップＳ３２１において予め設定された比率に基づいて各ユーザ毎の帯域制御レートを減少/増加させ、正常な物理回線数に対応した帯域制御設定をハードウェアに対して再設定する（ステップＳ３２４）。
【００３３】
図５Ｂは、図５ＡのステップＳ３２１で、ユーザ毎に固定割合で回線使用比率を設定する設定例である。図５Ｂの例では、ユーザＡとユーザＢの回線使用比率がそれぞれ５０％であるから、結果として、図４Ｂに示す例と同じ帯域制御結果が得られる。しかし、回線使用比率が各ユーザで同一である必要はなく、異なるものであっても本発明が適用可能であることは明らかである。
【００３４】
以上の図４Ａあるいは図５Ａに記載された手法により、リンクアグリゲーション切替に連動して動的に帯域制御を再設定することで、特定ユーザが帯域を占有することを抑止することができる。
【００３５】
次に、本発明によるリンクアグリゲーション回線切替に連動した動的な帯域制御の再設定についてさらに詳細に説明する。
図６は、先に説明した図９と同様に、ファームウェア部(40)と物理回線を収容するハードウェア部(50)を示すものである。ファームウェア部(40)は、図９に示したものと機能ブロック構成は同様であるが、機能内容には、ユーザ毎の帯域制御を動的に再設定するための機能が追加されている。ハードウェア部(50)は図９に示したものと同様である。
【００３６】
図７は、図４Ａで示した本発明による物理回線に障害が発生した場合のリンクアグリゲーション回線に対する動的な帯域制御の再設定フローをさらに詳細に説明ものである。図５Ａに示したフローについてはことさら詳細に説明をしないが、図７の説明から、当業者は容易に類推可能であろう。
【００３７】
図７に記載されたフローを図１０に示した回線切替フローと比較すると、ＬＡ切替の部分は同じであるが、事前設定の部分と帯域制御再設定の部分が追加されている。
事前設定では、まず、ステップＳ５０１で各ユーザに対して正常な物理回線毎の帯域制御情報を外部コマンドにより入力する。入力された外部コマンドは外部コマンド受付部(41)で受け付けられ、外部コマンド処理部(42)及び帯域制御部(43)を経由して、前記帯域制御情報が帯域制御情報設定保持部(44)内のデータベースに保持される（ステップＳ５０２）。
【００３８】
事前設定がされた後の、回線の故障要因発生の監視（ステップＳ５１１）からＬＡ切替イベントの通知（ステップＳ５１６）までのＬＡ回線切替のフローは図１０に記載されたフローのステップＳ１０１〜ステップＳ１０６と同じである。
【００３９】
本発明では、ＬＡ切替に加えて、事前設定に基づき、帯域制御の再設定が行われる。
図６及び図７に示すように、従来のハードウェア制御部(45)への回線切替指示に加えて、ＬＡ切替制御部(47)は、帯域制御部(43)へＬＡ切替発生を通知する（ステップＳ５２１）。ＬＡ切替発生を通知された帯域制御部(43)は、ＬＡ切替制御部(47)から切り替え対象のＬＡの正常な物理回線数を読み出す（ステップＳ５２２）。
【００４０】
次に帯域制御部(43)は、ステップＳ５２２で読み出した正常な物理回線数に基づいて、帯域制御情報設定保持部(44)から、切替対象のＬＡを使用しているユーザ分の帯域制御情報を読み出し（ステップＳ５２３）、読み出した帯域制御情報により、ハードウェア制御部(45)に対して帯域制御設定の指示を行う（ステップＳ５２４）。
【００４１】
ハードウェア制御部(45)は、指示された帯域制御設定をハードウェア部(50)に設定し、ユーザ毎の帯域制御を実行させる（ステップＳ５２５）。具体的には、図４Ｂに例示されたような値をハードウェア部(50)の帯域制御用のレジスタに設定することにより行う。
【００４２】
また、帯域制御部(43)は、イベント通知部(48)に帯域制御再設定通知を行い、イベント通知部(48)は例えば図３に示したネットワーク監視装置(29)にイベント通知を行い保守者に対する帯域制御再設定通知を行う（ステップＳ５２６）。
【００４３】
上記図７に示した処理フローにより、各ユーザの帯域制御のための設定値は再設定され、ハードウェア部(50)は再設定された帯域制御用の設定値に基づいて帯域制御を実施する。
【００４４】
なお、図５Ａ及び図５Ｂに示すように予めリンクアグリケーション回線の最大帯域に対するユーザ毎の回線使用比率を設定する場合には、帯域制御部(43)が正常な物理回線数と設定されたユーザ毎の回線使用比率によりユーザ毎の使用可能な帯域を算出して帯域制御設定の指示を行えばよい。
以上、詳細に説明したように、本発明は、リンクアグリゲーション回線に統合されている正常な物理回線数毎に各ユーザの帯域制御情報を予め設定することができる機能(外部コマンド受付部(41)、外部コマンド処理部(42)から構成)、あるいはリンクアグリゲーション回線に統合されている物理回線数毎に各ユーザの帯域制御情報を固定割合で設定することができる機能(外部コマンド受付部(41)、外部コマンド処理部(42)から構成)、上記設定をユーザ/正常な物理回線数毎に保持する機能(外部コマンド受付部(41)、外部コマンド処理部(42)、帯域制御部(43)、帯域制御情報設定保持部(44)から構成)、装置内の回線故障要因(自装置内の物理的な回線故障,対向装置故障によるリンクダウン等)を検出可能とする機能（回線故障検出部(46)）、リンクアグリゲーション回線単位に回線切替処理を行う機能（ＬＡ切替制御部(47)、ハードウェア制御部(45)から構成）、及びリンクアグリゲーション回線切替に連動しユーザ毎の帯域制御設定を行う機能(ＬＡ切替制御部(47)、帯域制御部(43)、帯域制御情報設定保持部(44)、ハードウェア制御部(45)から構成）により、リンクアグリゲーション回線に統合されている各物理回線の故障発生/回復に連動した動的な帯域制御設定を行う。
【００４５】
したがって、本発明によれば、物理回線の障害発生によるＬＡ切替に連動して、各ユーザの帯域制御の再設定を行うことにより、ユーザ間の不公平を防ぐことができる。
そして、本発明の適用に際しては、ハードウェアに対する機能追加は必要なく、ファームウェアへの機能追加のみで適用可能である。また、ファームウェアへの機能追加に関しても、従来から存在している機能ブロック間でのインタフェースの追加のみであり、既存のシステムへの適用も容易である。
【００４６】
（付記１）物理回線を統合したリンクアグリゲーション回線の最大帯域の変動に連動して、前記リンクアグリゲーション回線を使用する各ユーザトラフィックの帯域制御設定を動的に制御することを特徴とする帯域制御方法。
（付記２）前記リンクアグリゲーション回線に統合されている正常な物理回線数毎に、各ユーザの帯域制御情報を予め設定し、当該リンクアグリゲーション回線に統合されている物理回線の故障／回復を検出すると、現状の正常な物理回線数を認識し、前記予め設定された正常な物理回線数毎の各ユーザの帯域制御情報を参照して前記認識した正常な物理回線数に対応する帯域制御を各ユーザトラフィックに対して実行することを特徴とする付記１記載の帯域制御方法。
（付記３）前記リンクアグリゲーション回線の最大帯域に対する各ユーザトラフィックの回線使用比率を予め設定し、当該リンクアグリゲーション回線に統合されている物理回線の故障／回復を検出すると、現状の正常な物理回線数を認識し、前記予め設定された回線使用比率に基づいて前記認識した正常な物理回線数に対応する帯域制御を各ユーザトラフィックに対して実行することを特徴とする付記１記載の帯域制御方法。
（付記４）物理回線を統合したリンクアグリゲーション回線の最大帯域の変動に連動して、前記リンクアグリゲーション回線を使用する各ユーザトラフィックの帯域制御設定を動的に制御することを特徴とする伝送装置。
（付記５）前記リンクアグリゲーション回線に統合されている正常な物理回線数毎に各ユーザの帯域制御情報を予め設定する手段と、
前記設定をユーザ/正常な物理回線数毎に保持する手段と、
装置内の回線故障要因を検出する手段と、
前記リンクアグリゲーション回線単位に回線切替処理を行う手段と、
リンクアグリゲーション回線切替に連動し各ユーザトラフィックの帯域制御設定を行う手段と、
を備え、
前記リンクアグリゲーション回線に統合されている各物理回線の故障発生/回復に連動した動的な帯域制御設定を行うことを特徴とする付記４記載の伝送装置。
（付記６）前記リンクアグリゲーション回線に統合されている正常な物理回線数毎の各ユーザの帯域制御情報を固定割合により予め設定する手段と、
前記設定をユーザ及び正常な物理回線数毎に保持する手段と、
装置内の回線故障要因を検出する手段と、
前記リンクアグリゲーション回線単位に回線切替処理を行う手段と、
リンクアグリゲーション回線切替に連動し各ユーザトラフィックの帯域制御設定を行う手段と、
を備え、
前記リンクアグリゲーション回線に統合されている各物理回線の故障発生/回復に連動した動的な帯域制御設定を行うことを特徴とする付記４記載の伝送装置。
（付記７）リンクアグリゲーション回線を使用するユーザトラフィックの帯域制御情報を保持する帯域制御情報設定保持部と、前記帯域制御情報設定保持部に保持された帯域制御情報を読み出し、帯域制御設定を指示する帯域制御部と、回線故障要因発生による割込通知を受け、前記リンクアグリゲーション回線の切替要因が発生したことを通知する回線故障検出部と、前記回線故障検出部の通知する前記リンクアグリゲーション回線切替要因発生通知に基づいてリンクアグリゲーション回線切替を指示するリンクアグリゲーション回線切替制御部と、前記帯域制御部からの帯域制御設定指示に基づき帯域制御設定を行うとともに、前記リンクアグリゲーション回線切替制御部からのリンクアグリゲーション回線切替指示に基づきリンクアグリゲーション回線切替を制御するハードウェア制御部を備えた伝送装置において、
前記帯域制御部は、外部から入力されるコマンドに基づいて、前記帯域制御情報設定保持部に前記リンクアグリゲーション回線に統合されている正常な物理回線数毎に各ユーザの帯域制御情報を設定し、
前記リンクアグリゲーション回線切替制御部は、前記回線故障検出部の通知する前記リンクアグリゲーション回線切替要因発生通知に基づいて前記帯域制御部に前記リンクアグリゲーション回線切替発生を通知し、当該リンクアグリゲーション回線切替発生通知に基づき、前記帯域制御部は前記リンクアグリゲーション回線切替制御部から切替対象であるリンクアグリゲーション回線の正常な物理回線数を読み出し、当該読み出した物理回線数に対応する各ユーザの帯域制御情報を前記帯域制御情報設定保持部から読み出してユーザトラフィック毎の帯域制御設定を指示することを特徴とする伝送装置。
（付記８）前記帯域制御部は、前記コマンドにより与えられる、各ユーザの前記リンクアグリゲーション回線使用比率により、前記帯域制御情報設定保持部に前記リンクアグリゲーション回線に統合されている正常な物理回線数毎に各ユーザの帯域制御情報を設定することを特徴とする付記７記載の伝送装置。
（付記９）イベント通知部をさらに備え、
前記帯域制御部は、前記イベント通知部に帯域制御再設定通知を行い、
前記イベント通知部は、外部装置に帯域制御再設定のイベント通知を行うことを特徴とする付記７記載の伝送装置。
【図面の簡単な説明】
【００４７】
【図１】本発明を適用する伝送装置においてＬＡを構成する物理回線に障害が発生したときの状況を説明する図。
【図２】本発明を適用する伝送装置の構成例を説明する図。
【図３】本発明を適用するネットワーク構成例を説明する図。
【図４Ａ】本発明の動的な帯域制御設定フローを示す図。
【図４Ｂ】本発明の帯域制御情報設定例を示す図。
【図５Ａ】本発明の固定割合での動的な帯域制御設定を行うフロー示す図。
【図５Ｂ】本発明の固定割合での帯域制御情報設定例を示す図。
【図６】本発明を適用する伝送装置のシステムブロック図。
【図７】本発明のＬＡ切替と帯域制御設定フロー図。
【図８】ＬＡを構成する物理回線に障害が発生したときの従来の状況を説明する図。
【図９】従来のシステムブロック図
【図１０】従来のＬＡ切替フロー図。
【符号の説明】
【００４８】
２０、２１、２２        伝送装置
２１１、２２１、２３１  インターフェース盤
２１２、２２２、２３２  インターフェース盤
２４１、２４２          管理用ＣＰＵ
２８                    リンクアグリゲーション回線
４０、９０              ファームウェア部
４１、９１              外部コマンド受付部
４２、９２              外部コマンド処理部
４３、９３              帯域制御部
４４、９４              帯域制御情報設定保持部
４５、９５              ハードウェア制御部
４６、９６              回線故障検出部
４７、９７              ＬＡ切替制御部
４８、９８              イベント通知部
５０、１００            ハードウェア部
【図４Ａ】
2007067586.tif 000003
【図４Ｂ】
2007067586.tif 000004
【図５Ａ】
2007067586.tif 000005
【図５Ｂ】
2007067586.tif 000006
【図１０】
2007067586.tif 000007
【図１】
2007067586.tif 000008
【図２】
2007067586.tif 000009
【図３】
2007067586.tif 000010
【図６】
2007067586.tif 000011
【図７】
2007067586.tif 000012
【図８】
2007067586.tif 000013
【図９】
2007067586.tif 000014